【事件の表示】
　平成１０年特許願第　２１９９３号「コンピュータ設定媒体、ならびに、その作成方法および作成装置」拒絶査定に対する審判事件［平成１１年　８月１０日出願公開、特開平１１−２１９２８３］について、次のとおり審決する。
【結　論】
　本件審判の請求は、成り立たない。
【理　由】
１．手続きの経緯及び本件発明の認定
　
　本件審判請求に係る特許出願は、平成１０年２月３日になされたものであって、平成１１年９月１４日付で拒絶査定の謄本が送付され、これに対して同年１０月１８日に拒絶査定に対する審判請求がなされ、同年１１月１日に審判請求理由補充書並びに手続補正書が提出されたものであり、
　その後、平成１５年１月１４日付で上記手続補正に対する補正却下の決定の謄本の送達がなされるとともに、平成１５年１月２４日付けで当審による拒絶理由が通知され、平成１５年３月２５日に意見書の提出及び手続補正がなされたものであって、その請求項２に係る発明は上記手続補正された明細書及び図面の記載から見て、その特許請求の範囲の請求項２記載の以下のとおりのものである。
　
「複数台の未設定のコンピュータに、新たに設定を行うためのコンピュータ設定媒体であって、
　レジストリ設定項目、および、初期設定ファイルにおける設定項目のうち予め定められた項目の、新たに設定すべき内容を示す設定データと、
　上記設定データが示す内容を、コンピュータの記憶装置に格納されているファイルシステムにおける上記設定データが示す内容に対応するデータ領域に反映させるための設定プログラムとが、コンピュータが読み取り可能に記録され、
　上記設定データは、２台以上のコンピュータについての、各コンピュータに個別な、新たに設定すべき設定内容を含み、
　上記設定プログラムの実行に先だって、上記２台以上のコンピュータのうちからいずれかのコンピュータを選択する指示を受け付け、当該選択されたコンピュータに対応する設定データが示す内容の反映を、上記設定プログラムに指示するためのプログラムが、
さらに記録されていることを特徴とするコンピュータ設定媒体。」
　
２．引用例記載の発明の認定
　
 一方、平成１５年１月２４日付け拒絶理由通知書において引用した特開平６−１１０６６３号公報（以下、引用例という）には以下のことが記載されている。
　
「クライアントインストーラ（ＡＵＴＯ部）（以下ＷＳ＿ＡＵＴＯと記述する）は、クライアントインストーラ（ＧＵＩ部）により作成されたパラメータファイルの内容に従い、ＮｅｔＷａｒｅのインストールを自動実行する。
  以上のような処理を、以下図１５５、図１５６、図１５７を用いて、下記の項目について詳細を述べる。
  １．ＷＳ＿ＡＵＴＯ自動実行処理
  ＷＳ＿ＡＵＴＯの起動は、６０１００１に示すように、まず対象機器をＭＳ?ＤＯＳ環境で立ち上げる。次に、ドライブＡにＳＹＳＭＡＮ＿ＡＵＴＯディスクをセットし、キーボードよりコマンド”ＷＳＩＮＳＴ”を入力する。
  ６０１００１の方法による起動により、画面に６０１００２を表示する。（中略）６０１００２を表示し、ＷＳ＿ＡＵＴＯが正常に起動すると、画面に初期画面６０１００３のメッセージを表示する。この際、６０１００４によりオペレータに指示を促す。インストールの続行を指示する場合は、ドライブＡにＳＹＳＭＡＮ＿ＰＡＲディスクをセットして、｀続行｀を入力する。（中略）
  ６０１００４により｀続行｀を指示されると、ＷＳ＿ＡＵＴＯはドライブＡのディスクを確認する。（中略）６０１００４を表示後、正常にＳＹＳＭＡＮ＿ＰＡＲディスクがセットされると、６０１０１１のクライアント一覧を表示する。（中略） ６０１０１１を表示後、６０１０１２を表示し、オペレータにクライアントの選択を促す。オペレータはインストールするクライアントを選択し、｀選択｀を入力する。（中略）
  ＷＳ＿ＡＵＴＯはオペレータにクライアントを選択されると、パラメータファイルの内容を確認する。内容に不備がある場合は、メッセージ６０１０１５を表示し、オペレータに確認を指示する。オペレータは確認したなら、｀確認｀を入力する。（中略） 
　クライアントを選択またはパラメータファイル内にクライアントが一つしかない場合は６０１０１３を表示し、パラメータの確認をオペレータに促す。オペレータは内容を確認し、インストールを続行する場合は、｀ＹＥＳ｀を入力する。（中略）
　ＷＳ＿ＡＵＴＯは、オペレータに｀ＹＥＳ｀を入力されたなら、（中略）、メッセージ６０２００４を表示し、６０２００５のインストールするドライブ一覧を表示する。（中略）
　６０２００５を表示後、６０２００６を表示し、インストールするドライブの選択をオペレータに促す。オペレータはインストールするドライブを選択し、｀選択｀を入力する。（中略）
　６０２０１４を表示後、正常にＳＨＧＥＮディスクがセットされると、６０３００１、６０３００２を表示し、オペレータに処理中、処理終了を報告する。６０３００２を表示後、すべてのインストールが正常に終了すると、メッセージ６０３００７を表示し、インストールを終了する。
  以上の結果、ＷＳ＿ＡＵＴＯ自動実行処理が出来る。」（第６３頁右欄２７行から第６５頁左欄第１１行より抜粋）
　
「図２０９はＳＹＳＭＡＮ＿ＰＡＲ中に複数のパラメータファイルが存在した場合にファイルの選択を求めるウィンドウである。９４０００１はパラメータファイルに対応するクライアント名スイッチ、９４０００２は見表示データがある場合にのみ表示する「ＭＯＲＥ」スイッチ、９４０００３は中断用スイッチである」（第７１頁左欄第２４行から第２９行）
　
「図１６６はパラメータファイルを格納する専用ＦＤ（以下パラメータディスクと称す）のディレクトリ構造の図である。パラメータディスクには固有のボリューム名（８０４００１）をつける。ボリューム名は、パラメータディスクであることを識別するための固定部と管理番号などに用いる可変部から成る。パラメータディスクのルートディレクトリにインストーラの種類ごとに固有のサブディレクトリを設ける。８０４０１０はファイルサーバインストーラ用サブディレクトリ、８０４０１１はクライアントインストーラ用サブディレクトリ、８０４０１２はプリントサーバインストーラ用サブディレクトリである。それらのサブディレクトリの下にパラメータファイルを分類して格納する。８０４０２０はファイルサーバインストーラ用パラメータファイル、８０４０２１はクライアントインストーラ用パラメータファイル、８０４０２２はプリントサーバインストーラ用パラメータファイルである。各サブディレクトリのインデックス情報ファイルをと、パラメータディスクの取扱上の注意や著作権を定めた注意書き文書ファイルをルートディレクトリに格納する。８０４０３０はファイルサーバインストーラ用インデックス情報ファイル、８０４０３１はクライアントインストーラ用インデックス情報ファイル、８０４０３２はプリントサーバインストーラ用インデッス情報ファイル、８０４０４０は注意書き文書ファイルである。注意書き文書ファイルを除くすべてのディレクトリおよびファイルはリードオンリーの隠しファイル属性にし、ユーザが直接パラメータファイルにアクセスすることを防ぐ。　　
　図１６７はファイルサーバインストーラ用インデックス情報ファイルの例である。インデックス情報ファイルは対応するサブディレクトリ内のパラメータファイルの数と同数のファイル情報レコードから成るテキスト形式のファイルで、ＧＵＩ部がパラメータファイルを作成、更新するのと同時に内容を更新する。各レコードにはパラメータファイルの名称と、その設定内容のうちでも特にユーザがなじみやすいものを数種類格納する。
　８０５００１はパラメータファイルの名称、８０５００２はパラメータファイルの内容と等しいファイルサーバ名、８０５００３はＩＰＸ内部ネットワーク番号、８０５００４はネットワーク番号である。本インデックス情報ファイルの採用により、ユーザはファイルの存在を意識することなく必要なパラメータを使用することが出来る。例えば、ファイルサーバインストーラＡＵＴＯ部ではパラメータファイルが複数存在する場合には、ファイルサーバ名を一覧表示し、その中からユーザに選択を求めることができる。
　図１６８を用いてパラメータファイルの使用例について述べる。Ａ（８０６００１）、Ｂ（８０６００２）およびＣ（８０６００３）という３つのクライアント機が接続されている通信環境において、ＡとＢは全く同じ条件で動作し、ＣはＡ、Ｂと搭載する通信ボードのタイプだけが異なる場合を考える。一旦、Ａのインストールのためにパラメータファイル（８０６００４）を作成すれば、Ｂはそのファイルをそのまま用いることが出来る。また、Ｃの場合にはＡ、Ｂで用いたファイルを再利用し、ＧＵＩ部で通信ボードタイプのみを８０６００６から８０６００７のように変更することによって容易にパラメータファイル（８０６００５）を作成することが出来る。」
（第６８頁左欄第１７行から同頁右欄第２４行）
　
以上の記載から見て、
　
・クライアントマシンにインストールを行う場合、ＳＹＳＭＡＮ＿ＡＵＴＯディスクに含まれるインストール開始用のコマンドＷＳ＿ＩＮＳＴを入力すると、インストールプログラムＷＳ＿ＡＵＴＯが起動し、ＳＹＳＭＡＮ＿ＰＡＲディスクをセットした後でインストール処理を行う複数台のクライアントのうちの１つを選択させる処理を行ってクライアントを選択させ、選択されたクライアントに適合したパラメータファイルを用いてインストール処理を行うこと、
　
・クライアントインストール用パラメータファイル８０４０２１はクライアントの機種毎に用意されており、複数のクライアントインストール用パラメータファイル８０４０２１は１枚のパラメータディスク（ボリューム名ＳＹＳＭＡＮ＿ＰＡＲ？）の中に構成されること、
　
が引用例記載の発明に開示されているものと認める。
　
してみれば、引用例には、
　
「複数台の未設定のコンピュータに、新たに設定を行うための複数枚の媒体から構成されるコンピュータ設定媒体であって、
　新たに設定すべき内容を示すパラメータファイルを記録した媒体と、
　上記パラメータファイルが示す内容を、コンピュータの記憶装置に格納されている上記パラメータファイルが示す内容に対応するデータ領域に反映させるためのプログラムＷＳ＿ＡＵＴＯが、コンピュータが読み取り可能に記録された媒体とからなり、
　上記パラメータファイルは、２台以上のコンピュータについての、各コンピュータに個別な、新たに設定すべき設定内容を含み、
　上記プログラムＷＳ＿ＡＵＴＯが記録された媒体には、上記２台以上のコンピュータのうちからいずれかのコンピュータを選択する指示を受け付け、当該選択されたコンピュータに対応するパラメータファイルが示す内容の反映をプログラムＷＳ＿ＡＵＴＯのインストール処理を行う部分に指示するための、上記プログラムＷＳ＿ＡＵＴＯ中に含まれるプログラム部分が、
さらに記録されていることを特徴とする複数枚の媒体から構成されるコンピュータ設定媒体。」
　
という発明が記載されているものと認める。
　
　
３．本件発明と引用例記載の発明との対比と判断
　引用例記載の発明における「プログラムＷＳ＿ＡＵＴＯ」は、本件発明における「設定プログラム」「設定プログラムに指示するためのプログラム」をあわせたものに対応する。
　また、引用例記載の発明における「パラメータファイル」は本件発明における「設定データ」に対応する。
　
　以上の対応関係に基づき本件発明と引用例記載の発明とを対比すると、両者は
　
「複数台の未設定のコンピュータに、新たに設定を行うための媒体から構成されるコンピュータ設定媒体であって、
　新たに設定すべき内容を示す設定データと、
　上記設定データが示す内容を、コンピュータの記憶装置に格納されている上記設定データが示す内容に対応するデータ領域に反映させるための設定プログラムが、コンピュータが読み取り可能に記録され、
　上記設定データは、２台以上のコンピュータについての、各コンピュータに個別な、新たに設定すべき設定内容を含み、
　上記２台以上のコンピュータのうちからいずれかのコンピュータを選択する指示を受け付け、当該選択されたコンピュータに対応するパラメータファイルが示す内容の反映を、上記設定プログラムの設定処理を行う部分に指示するための上記設定プログラムの中に含まれるプログラム部分が、
さらに記録されていることを特徴とするコンピュータ設定媒体。」
　
という点で一致する。
　
一方、両者は以下の点で相違する。
　
（１）本件発明では、
設定データが、レジストリ設定項目、および、初期設定ファイルにおける設定項目のうち予め定められた項目の、新たに設定すべき内容から構成されるのに対して、
引用例記載の発明では、
設定データがレジストリ項目や初期設定ファイルにおける設定項目を含むかどうかについては不明な点、
　
（２）本件発明においては、
設定プログラムと、２台以上のコンピュータのうちからいずれかのコンピュータを選択する指示を受け付け、当該選択されたコンピュータに対応する設定データが示す内容の反映を、上記設定プログラムに指示するためのプログラムに指示するためのプログラムと、が別のプログラムとして構成されており、設定プログラムの実行に先立って設定プログラムに指示するためのプログラムが実行されるのに対して、
引用例記載の発明では、
設定プログラム中に設定プログラムに指示するためのプログラム部分が含まれて両者が一体となっており、設定プログラムの実行中に指示するためのプログラム部分が呼び出されて指示を受け付け設定処理を行うためのプログラム部分に指示する点、
　
（３）本件発明においては、
１つの媒体に設定データと設定プログラムと設定プログラムに指示するためのプログラムが含まれているのに対して、
引用例記載の発明では、
設定データと設定プログラムとは別の媒体に記録されている点。
　
　相違点（１）について、設定データとして、レジストリ設定項目、および、初期設定ファイルにおける設定項目のうち予め定められた項目を持つＯＳとして、例えばWindows95のようなＯＳが出願当時に周知かつ広く利用されていた以上、このような周知のＯＳ用の設定データを引用例記載の発明における設定データとして転用することは当業者にとって格別の困難性を要するものではない。
　
　相違点（２）について、引用例記載の発明におけるプログラムの構成を、設定プログラムと設定プログラムに指示するためのプログラムを別のプログラムとすることは、プログラムを分割しモジュール化するという周知慣用の技術思想を適用することに他ならず、当業者にとって格別の困難性を要するものではない。
　そして設定プログラムと設定プログラムに指示するためのプログラムを分割するならば、設定プログラムに指示するためのプログラムは設定プログラムの実行に先立ち実行されるものである。
　
　相違点（３）について、引用例記載の発明においては設定プログラムを保持する媒体と、設定データを保持する媒体とは別々の構成となっているが、これらを１つの媒体として構成することは、使用する媒体の容量などを考慮して当業者が適宜なし得る事項にすぎない。
　
４．結び　
　
　以上のとおり、本件発明は、引用例記載の発明に基づいて当業者が容易に発明をすることができたものであるから、特許法第２９条第２項の規定により特許を受けることができない。
　
よって、結論のとおり審決する。